(57)【要約】【課題】刈芝収容体に収容された刈芝が刈芝収容体の開口部付近に偏在することを抑制できる芝刈機を提供する。【解決手段】芝刈機１は、ボディ部１０と、動力源４と、動力源４の動力によって回転する回転軸４０と、回転軸４０によって回転するカッタブレード５０と、ボディ部１０に取り外し可能に取り付けられた刈芝収容体６０と、を備える。ボディ部１０は、カッタブレード５０を収容するハウジング１１、及びカッタブレード５０によって刈られた刈芝をハウジング１１から搬出する刈芝搬出通路１２を有する。刈芝収容体６０は、刈芝搬出通路１２の下流側開口部１２２を覆うように配置され、下流側開口部１２２から排出された刈芝を収容する。芝刈機１は、刈芝搬出通路１２の下流側開口部１２２と、刈芝収容体６０の端面６２との距離を調節可能なスライド装置７０を有する。【選択図】図２
2020156445.tif 000002
【特許請求の範囲】
【請求項１】
動力源と、
前記動力源の動力によって回転する回転軸と、
前記回転軸によって回転して芝草を刈るカッタブレードと、
前記カッタブレードを収容するハウジング、及び前記カッタブレードによって刈られた刈芝を前記ハウジングから搬出する刈芝搬出通路を有するボディ部と、
前記ボディ部に取り外し可能に取り付けられ、前記刈芝を収容する刈芝収容体と、を備え、
前記刈芝搬出通路は、前記ハウジングに接続する上流側開口部と、前記刈芝を前記ボディ部の外部へ排出する下流側開口部と、を有し、
前記刈芝収容体は、
前記刈芝搬出通路の前記下流側開口部を覆うように配置され、
前記ボディ部に向かって開口し、前記ボディ部と接続する開口部と、前記開口部と対向する端面と、前記開口部から前記端面に延びる側面と、を有し、
前記刈芝搬出通路の前記下流側開口部から排出された前記刈芝を収容する、芝刈機であって、
前記刈芝搬出通路の前記下流側開口部と、前記刈芝収容体の前記端面との距離を調節可能なスライド装置を有する、芝刈機。
【請求項２】
請求項１に記載の芝刈機であって、
前記スライド装置は、前記刈芝収容体の前記側面に設けられた、前記刈芝収容体を伸縮可能な伸縮部を有し、
前記伸縮部を伸縮させて、前記刈芝搬出通路の前記下流側開口部と、前記刈芝収容体の前記端面との距離を調節する、芝刈機。
【請求項３】
請求項１に記載の芝刈機であって、
前記スライド装置は、前記刈芝搬出通路に設けられた、前記下流側開口部が前記刈芝収容体の前記端面に向かって伸長する伸縮可能な延長部を有し、
前記刈芝搬出通路の前記延長部を伸縮させて、前記刈芝搬出通路の前記下流側開口部と、前記刈芝収容体の前記端面との距離を調節する、芝刈機。
【請求項４】
請求項１〜３のいずれか一項に記載の芝刈機であって、
前記スライド装置は、作業者の操作によって駆動する、芝刈機。
【請求項５】
請求項１〜３のいずれか一項に記載の芝刈機であって、
前記芝刈機は、車輪を備え、
前記スライド装置は、前記車輪の回転と連動して駆動する、芝刈機。
【請求項６】
請求項１〜３のいずれか一項に記載の芝刈機であって、
前記芝刈機は、電動機を備え、
前記スライド装置は、前記電動機によって駆動する、芝刈機。
【発明の詳細な説明】
【技術分野】
【０００１】
本発明は、芝刈機に関する。
【背景技術】
【０００２】
従来から、回転自在に取付けられたカッタブレードと、カッタブレードを収容するハウジングを有するボディ部と、刈芝収容体と、を有し、カッタブレードで刈られた刈芝をハウジングからボディ部の外部へ刈芝を排出するようにした芝刈機が知られている。
【０００３】
例えば、特許文献１には、ボディ部は、カッタブレードで刈られた刈芝をハウジングからボディ部後面へと搬出する刈芝搬出通路を有し、カッタブレードで刈られた刈芝をハウジングから刈芝搬出通路を通って、ボディ部の後面に取り外し可能に取り付けられた刈芝収容体に収容するようにした芝刈機が開示されている。
【０００４】
特許文献１の芝刈機は、刈芝搬出通路の上流側開口部がハウジングに接続し、下流側開口部がボディ部の後面に開口しており、刈芝収容体は、刈芝搬出通路の下流側開口部を覆うように配置され、ボディ部に向かって開口している。
【先行技術文献】
【特許文献】
【０００５】
【特許文献１】実開昭６３−０６１２２３号公報
【発明の概要】
【発明が解決しようとする課題】
【０００６】
しかしながら、特許文献１の芝刈機では、カッタブレードで刈られた刈芝が刈芝収容体に収容される際、刈芝収容体の開口部付近に偏在してしまう、という課題があった。
【０００７】
本発明は、刈芝収容体に収容された刈芝が刈芝収容体の開口部付近に偏在することを抑制できる芝刈機を提供する。
【課題を解決するための手段】
【０００８】
本発明は、
動力源と、
前記動力源の動力によって回転する回転軸と、
前記回転軸によって回転して芝草を刈るカッタブレードと、
前記カッタブレードを収容するハウジング、及び前記カッタブレードによって刈られた刈芝を前記ハウジングから搬出する刈芝搬出通路を有するボディ部と、
前記ボディ部に取り外し可能に取り付けられ、前記刈芝を収容する刈芝収容体と、を備え、
前記刈芝搬出通路は、前記ハウジングに接続する上流側開口部と、前記刈芝を前記ボディ部の外部へ排出する下流側開口部と、を有し、
前記刈芝収容体は、
前記刈芝搬出通路の前記下流側開口部を覆うように配置され、
前記ボディ部に向かって開口し、前記ボディ部と接続する開口部と、前記開口部と対向する端面と、前記開口部から前記端面に延びる側面と、を有し、
前記刈芝搬出通路の前記下流側開口部から排出された前記刈芝を収容する、芝刈機であって、
前記刈芝搬出通路の前記下流側開口部と、前記刈芝収容体の前記端面との距離を調節可能なスライド装置を有する。
【発明の効果】
【０００９】
本発明によれば、スライド装置によって、刈芝搬出通路の下流側開口部と、刈芝収容体の端面との距離を調節することができる。これにより、刈芝収容体に収容された刈芝の量が多くなるにしたがって、徐々に刈芝搬出通路の下流側開口部と刈芝収容体の端面との距離が長くなるように調節することによって、刈芝が刈芝収容体の開口部付近に偏在することを抑制できる。また、カッタブレードの回転速度を上げて風速を上げることなく、刈芝を刈芝収容体の端面の周辺に溜めることができるので、騒音を低減し、消費エネルギーを抑制できる。
【図面の簡単な説明】
【００１０】
【図１】本発明の第１実施形態の芝刈機の斜視図である。
【図２】図１の芝刈機の左側面図である。
【図３】図１の芝刈機の底面図である。
【図４】図３のＡ−Ａ断面図である。
【図５Ａ】刈芝収容体がほぼ空の状態における、芝刈機の左側面図である。
【図５Ｂ】刈芝収容体に刈芝を収容中の状態における、芝刈機の左側面図である。
【図６】本発明の第２実施形態の芝刈機の上面図である。
【図７Ａ】本発明の第２実施形態の芝刈機において、刈芝収容体がほぼ空の状態における、芝刈機の左側面図である。
【図７Ｂ】本発明の第２実施形態の芝刈機において、刈芝収容体に刈芝を収容中の状態における、芝刈機の左側面図である。
【発明を実施するための形態】
【００１１】
以下、本発明の芝刈機の各実施形態を、添付図面に基づいて説明する。なお、前後左右上下の各方向は、作業者から見た方向に従い、図面には、芝刈機１の前方をＦｒ、後方をＲｒ、左側をＬ、右側をＲ、上方をＵ、下方をＤ、として示す。また、図面は符号の向きに見るものとする。
【００１２】
［第１実施形態］
まず、本発明の第１実施形態の芝刈機について、図１〜図５Ｂを参照しながら説明する。
【００１３】
図１及び図２に示すように、本実施形態に係る芝刈機１は、機体としてのボディ部１０と、ボディ部１０の前部に配置された左右一対の前輪２と、ボディ部１０の後部に配置された左右一対の後輪３（この図では左右のうち左のみを示す。）と、ボディ部１０の上部に配置された動力源としてのエンジン４と、ボディ部１０の後部から上後方に延びる操作ハンドル５と、を備える。芝刈機１は、作業者が操作ハンドル５を操作することによって移動する。
【００１４】
さらに、エンジン４の動力によって回転する出力軸４０が、エンジン４から略鉛直下方に延びている。出力軸４０の下端には、出力軸４０を中心に回転して芝草を刈るカッタブレード５０が設けられている。
【００１５】
ボディ部１０は、下方に開口し、カッタブレード５０を収容するハウジング１１と、カッタブレード５０によって刈られた刈芝をハウジング１１から搬出する刈芝搬出通路１２と、を有する。
【００１６】
刈芝搬出通路１２は、上流側開口部１２１がハウジング１１と接続しており下流側開口部１２２がボディ部１０の後面から後方に開口している。そして、カッタブレード５０によって刈られた刈芝が、下流側開口部１２２からボディ部１０の外部へ排出されるようになっている。
【００１７】
ボディ部１０の後面には、収容体取付部１３が設けられている。収容体取付部１３には、グラスバッグ等の刈芝収容体６０が、刈芝搬出通路１２の下流側開口部１２２を覆うように、取り外し可能に取り付けられている。刈芝収容体６０は、刈芝搬出通路１２の下流側開口部１２２からボディ部１０の外部へ排出された刈芝を収容する。
【００１８】
刈芝収容体６０は、ボディ部１０の後面に向かって開口する略直方体形状を有する。刈芝収容体６０は、ボディ部１０の後面に向かって開口し、ボディ部１０の後面に設けられた収容体取付部１３と接続する開口部６１と、開口部６１と対向する端面６２と、開口部６１から端面６２に延びる側面６３と、を有する。端面６２は、略矩形状であり、側面６３は、断面が端面６２と略同形状の略矩形状となっている。
【００１９】
ボディ部１０の後面には、刈芝収容体６０が取り外された際に、刈芝搬出通路１２の下流側開口部１２２を塞ぐ開口カバー１４が設けられている。本実施形態では、開口カバー１４は、開口カバー１４の上端を回動軸心として上下に回動可能に設けられている。
【００２０】
図３及び図４に示すように、ハウジング１１は、出力軸４０の軸心ＳＣと略同心の渦巻状のスクロール部１１０を有する。スクロール部１１０は、ハウジング１１の天板１１ａと、出力軸４０の軸心ＳＣと同心上に配置された円筒形である外筒部１１１と、軸心ＳＣと同心上に配置された外筒部１１１よりも小径の円筒形である内筒部１１２と、によって囲まれた空間である。
【００２１】
さらに、スクロール部１１０の右後方部には、後上方に開口する通路開口１１３が設けられている。通路開口１１３には、刈芝搬出通路１２の上流側開口部１２１が連結されている。刈芝搬出通路１２は、上下方向から見て、スクロール部１１０の外筒部１１１の略接線方向に沿って後方に延び、左右方向から見て、後上方に延びている。そして、刈芝搬出通路１２の下流側開口部１２２は、ボディ部１０の後面の右端側に設けられている。
【００２２】
カッタブレード５０は、エンジン４の動力によって回転軸４０を中心に矢印Ｒａの向き、すなわち芝刈機１の底面からみて反時計回りに回転する。カッタブレード５０は、矢印Ｒａの向きに回転することによって、芝草を刈り取るとともに、ハウジング１１内に矢印Ｒｂの向き、すなわち芝刈機１の底面からみて反時計回りの旋回流を発生させる。
【００２３】
カッタブレード５０によって刈られた刈芝は、この旋回流によって、ハウジング１１のスクロール部１１０を旋回し、スクロール部１１０の通路開口１１３から刈芝搬出通路１２を通って、矢印Ｒｃの向きに刈芝搬出通路１２の下流側開口部１２２へと搬出され、ボディ部１０の外部へ排出されて、刈芝収容体６０に収容される。
【００２４】
さらに、芝刈機１は、刈芝搬出通路１２の下流側開口部１２２と、刈芝収容体６０の端面６２との距離を調節可能なスライド装置７０を有する。
【００２５】
図２、図５Ａ及び図５Ｂに示すように、本実施形態のスライド装置７０は、刈芝収容体６０の側面６３に設けられ、刈芝収容体６０の開口部６１と端面６２との距離を伸縮可能な伸縮部７１と、刈芝収容体６０の端面６２に設けられた把持部７２と、を有する。伸縮部７１は、例えば、蛇腹機構である。
【００２６】
芝刈機１の作業者が、把持部７２を掴んで後方に引っ張ると、伸縮部７１が伸長して刈芝収容体６０の端面６２が後方にスライドし、刈芝搬出通路１２の下流側開口部１２２と、刈芝収容体６０の端面６２との距離が長くなる。また、把持部７２を掴んで前方に押すと、伸縮部７１が収縮して刈芝収容体６０の端面６２が前方にスライドし、刈芝搬出通路１２の下流側開口部１２２と、刈芝収容体６０の端面６２との距離が短くなる。このようにして、スライド装置７０は、刈芝収容体６０に設けられた伸縮部７１を伸縮させることによって、刈芝搬出通路１２の下流側開口部１２２と、刈芝収容体６０の端面６２との距離を調節することができる。
【００２７】
カッタブレード５０によって刈られた刈芝は、カッタブレード５０の回転による旋回流によって飛ばされて、刈芝搬出通路１２の下流側開口部１２２から排出されるため、刈芝搬出通路１２の下流側開口部１２２から排出された刈芝は、刈芝収容体６０の刈芝搬出通路１２の下流側開口部１２２付近に偏在しやすい。
【００２８】
図５Ａに示すように、例えば、芝刈機１の稼働開始直後においては、刈芝収容体６０に刈芝はほとんど収容されておらず、刈芝収容体６０は、ほぼ空の状態である。このとき、把持部７２を前方に押し、刈芝収容体６０の端面６２を前方にスライドさせて、刈芝搬出通路１２の下流側開口部１２２と、刈芝収容体６０の端面６２との距離が短くなるように調節する。
【００２９】
このようにすると、刈芝搬出通路１２の下流側開口部１２２から排出された刈芝は、刈芝収容体６０の端面６２の周辺に溜まる。
【００３０】
これにより、カッタブレード５０の回転速度を上げて風速を上げることなく、刈芝を刈芝収容体６０の端面６２の周辺に溜めることができるので、芝刈機１の騒音を低減し、消費エネルギーを抑制できる。
【００３１】
そして、図５Ｂに示すように、刈芝収容体６０に収容された刈芝の量が多くなったら、把持部７２を後方に引っ張り、刈芝収容体６０の端面６２を後方にスライドさせて、刈芝搬出通路１２の下流側開口部１２２と、刈芝収容体６０の端面６２との距離が長くなるように調節する。
【００３２】
すると、既に刈芝収容体６０に収容された刈芝も後方にスライドする。よって、刈芝収容体６０の刈芝搬出通路１２の下流側開口部１２２付近は、刈芝が溜まっていない状態となり、刈芝搬出通路１２の下流側開口部１２２から排出された刈芝は、刈芝収容体６０の刈芝搬出通路１２の下流側開口部１２２付近に収容される。
【００３３】
そして、刈芝収容体６０の刈芝搬出通路１２の下流側開口部１２２付近に溜まった刈芝の量が再び多くなったら、把持部７２をさらに後方に引っ張り、刈芝収容体６０の端面６２をさらに後方にスライドさせて、刈芝搬出通路１２の下流側開口部１２２と、刈芝収容体６０の端面６２との距離がさらに長くなるように調節する。
【００３４】
すると、既に刈芝収容体６０に収容された刈芝も後方にスライドし、刈芝収容体６０の刈芝搬出通路１２の下流側開口部１２２付近は、再び刈芝が溜まっていない状態となり、刈芝搬出通路１２の下流側開口部１２２から排出された刈芝は、刈芝収容体６０の刈芝搬出通路１２の下流側開口部１２２付近に収容される。
【００３５】
このように、刈芝収容体６０に収容された刈芝の量が多くなるにしたがって、徐々に刈芝搬出通路１２の下流側開口部１２２と刈芝収容体６０の端面６２との距離が長くなるように調節することによって、刈芝搬出通路１２の下流側開口部１２２から排出された刈芝が、徐々に刈芝収容体６０の端面６２から離れた位置に溜まるようにすることができる。
【００３６】
これにより、刈芝収容体６０に収容された刈芝が刈芝収容体６０の開口部６１付近に偏在することを抑制できる。
【００３７】
また、芝刈機１の作業者が、把持部７２を掴んで後方に引っ張る、または前方に押す操作をすることによって、刈芝搬出通路１２の下流側開口部１２２と、刈芝収容体６０の端面６２との距離を調節することができるので、刈芝搬出通路１２の下流側開口部１２２と、刈芝収容体６０の端面６２との距離を、作業者の好みに応じて調節することができる。
【００３８】
なお、本実施形態では、芝刈機１の作業者が、把持部７２を掴んで後方に引っ張る、または前方に押す操作をすることによって、刈芝搬出通路１２の下流側開口部１２２と、刈芝収容体６０の端面６２との距離を調節するものとしたが、スライド装置７０は、左右一対の前輪２及び／または左右一対の後輪３と連動して、刈芝収容体６０の端面６２が前後方向に移動するものとしてもよい。例えば、芝刈機１の後輪３の軸と減速機構（不図示）を介して連結されたラック＆ピニオン機構によって、刈芝収容体６０の端面６２が前後方向に移動するものとしてもよい。このようにすると、刈芝搬出通路１２の下流側開口部１２２と、刈芝収容体６０の端面６２との距離を、作業者の操作が不要で調節することができる。
【００３９】
また、芝刈機１は、電動機（不図示）を備え、スライド装置７０は、電動機によって駆動し、刈芝収容体６０の端面６２が前後方向に移動するものとしてもよい。このようにすると、刈芝搬出通路１２の下流側開口部１２２と、刈芝収容体６０の端面６２との距離を、作業者の操作が不要で、かつ独立して調節することができるので、例えば、芝刈機１の走行距離や駆動時間等を積算し、芝刈機１の走行距離や駆動時間等に応じて、刈芝搬出通路１２の下流側開口部１２２と、刈芝収容体６０の端面６２との距離を調節することができる。
【００４０】
［第２実施形態］
次に、本発明の第２実施形態の芝刈機について、図６〜図７Ｂを参照しながら説明する。
【００４１】
なお、以下の説明において、第１実施形態の芝刈機１と同一の構成要素については同一の符号を付して説明を省略又は簡略化する。第１実施形態の芝刈機１のスライド装置７０は、刈芝収容体６０の側面６３に設けられ、刈芝収容体６０の開口部６１と端面６２との距離を伸縮可能な伸縮部７１を有するものとしたが、第２実施形態の芝刈機１のスライド装置７０は、刈芝搬出通路１２に設けられた、下流側開口部１２２が刈芝収容体６０の端面６２に向かって伸長可能な延長部７３を有する。以下、第１実施形態のスライド装置７０と第２実施形態のスライド装置７０との相違点について、詳細に説明する。
【００４２】
図６に示すように、本実施形態のスライド装置７０は、刈芝搬出通路１２の下流側に設けられ、ボディ部１０の後面から後方、すなわち刈芝収容体６０の端面６２に向かって伸長する伸縮可能な延長部７３を有する。そして、刈芝搬出通路１２の下流側開口部１２２は、延長部７３の下流端に形成される。延長部７３は、例えば、ボディ部１０とは別体に設けられ、蛇腹機構７３０を備える角筒形状を有する。
【００４３】
さらに、延長部７３には、操作部７４が作業者によって操作可能な位置に設けられている。操作部７４は、例えば、ラックアンドピニオン機構であり、角筒形状の延長部７３に沿って延びるラックギヤ７４１と、ボディ部１０の上面に設けられたピニオンギヤ７４２と、ピニオンギヤ７４２を回転させる回転レバー７４３と、を有する。
【００４４】
芝刈機１の作業者が、操作部７４の回転レバー７４３を回転させると、回転方向によって、刈芝搬出通路１２の延長部７３が伸縮する。本実施形態では、芝刈機１の作業者が、操作部７４の回転レバー７４３を上方から見て時計回りに回転させると、刈芝搬出通路１２の延長部７３が伸長して刈芝搬出通路１２の下流側開口部１２２が後方にスライドし、刈芝搬出通路１２の下流側開口部１２２と、刈芝収容体６０の端面６２との距離が短くなる。また、操作部７４の回転レバー７４３を上方から見て反時計回りに回転させると、刈芝搬出通路１２の延長部７３が収縮して刈芝搬出通路１２の下流側開口部１２２が前方にスライドし、刈芝搬出通路１２の下流側開口部１２２と、刈芝収容体６０の端面６２との距離が長くなる。このようにして、スライド装置７０は、刈芝搬出通路１２の延長部７３を伸縮させることによって、刈芝搬出通路１２の下流側開口部１２２と、刈芝収容体６０の端面６２との距離を調節することができる。
【００４５】
なお、カッタブレード５０によって刈られた刈芝は、カッタブレード５０の回転による旋回流によって飛ばされて、刈芝搬出通路１２の下流側開口部１２２から排出されるため、刈芝搬出通路１２の下流側開口部１２２から排出された刈芝は、刈芝収容体６０の刈芝搬出通路１２の下流側開口部１２２付近に偏在しやすい。
【００４６】
図７Ａに示すように、芝刈機１の稼働開始直後においては、刈芝収容体６０に刈芝はほとんど収容されておらず、刈芝収容体６０は、ほぼ空の状態である。このとき、操作部７４の回転レバー７４３を上方から見て時計回りに回転させて、刈芝搬出通路１２の下流側開口部１２２を後方にスライドさせ、刈芝搬出通路１２の下流側開口部１２２と、刈芝収容体６０の端面６２との距離が短くなるように調節する。
【００４７】
このようにすると、刈芝搬出通路１２の下流側開口部１２２から排出された刈芝は、刈芝収容体６０の端面６２の周辺に溜まる。
【００４８】
本実施形態では、延長部７３において、刈芝搬出通路１２の断面積は、延長部７３の上流端、すなわちボディ部１０の後面から、下流側開口部１２２まで、略同一となっている。なお、刈芝搬出通路１２の断面積は、延長部７３の上流端、すなわちボディ部１０の後面から、下流側開口部１２２に向かって、徐々に小さくなっていてもよい。このようにすると、延長部を通過する刈芝の流速を上昇させることができるので、刈芝を刈芝搬出通路の下流側開口部から遠いところまで飛ばすことができる。  
【００４９】
そして、図７Ｂに示すように、刈芝収容体６０の端面６２の周辺に収容された刈芝の量が多くなったら、操作部７４の回転レバー７４３を上方から見て反時計回りに回転させて、刈芝搬出通路１２の下流側開口部１２２を前方にスライドさせ、刈芝搬出通路１２の下流側開口部１２２と、刈芝収容体６０の端面６２との距離を長くする。
【００５０】
すると、刈芝搬出通路１２の下流側開口部１２２は、刈芝収容体６０の端面６２から遠くなるため、刈芝収容体６０の刈芝搬出通路１２の下流側開口部１２２付近は、刈芝がまだ多く溜まっていない。そして、刈芝搬出通路１２の下流側開口部１２２から排出された刈芝は、刈芝収容体６０の刈芝搬出通路１２の下流側開口部１２２付近に溜まっていく。
【００５１】
そして、刈芝収容体６０の刈芝搬出通路１２の下流側開口部１２２付近に溜まった刈芝の量が多くなったら、操作部７４の回転レバー７４３を上方から見て反時計回りに再び回転させて、刈芝搬出通路１２の下流側開口部１２２をさらに前方にスライドさせ、刈芝搬出通路１２の下流側開口部１２２と、刈芝収容体６０の端面６２との距離をさらに長くする。
【００５２】
すると、刈芝搬出通路１２の下流側開口部１２２は、刈芝収容体６０の端面６２からさらに遠くなるため、刈芝収容体６０の刈芝搬出通路１２の下流側開口部１２２付近は、刈芝がまだ多く溜まっていない。そして、刈芝搬出通路１２の下流側開口部１２２から排出された刈芝は、刈芝収容体６０の刈芝搬出通路１２の下流側開口部１２２付近に溜まっていく。
【００５３】
このように、刈芝収容体６０に収容された刈芝の量が多くなるにしたがって、徐々に刈芝搬出通路１２の下流側開口部１２２と刈芝収容体６０の端面６２との距離が長くなるように調節することによって、刈芝搬出通路１２の下流側開口部１２２から排出された刈芝を、刈芝収容体６０の端面６２から前方に向かって溜まるようにすることができる。
【００５４】
これにより、刈芝収容体６０に収容された刈芝が刈芝収容体６０の開口部６１付近に偏在することを抑制できる。
【００５５】
また、芝刈機１の作業者が、回転レバー７４３を操作することによって、刈芝搬出通路１２の下流側開口部１２２と、刈芝収容体６０の端面６２との距離を調節することができるので、刈芝搬出通路１２の下流側開口部１２２と、刈芝収容体６０の端面６２との距離を、作業者の好みに応じて調節することができる。
【００５６】
なお、本実施形態では、芝刈機１の作業者が、回転レバー７４３を操作することによって、刈芝搬出通路１２の下流側開口部１２２と、刈芝収容体６０の端面６２との距離を調節するものとしたが、スライド装置７０は、左右一対の前輪２及び／または左右一対の後輪３と連動して、刈芝収容体６０の端面６２が前後方向に移動するものとしてもよい。例えば、操作部７４のピニオンギヤ７４２が、芝刈機１の後輪３の軸と減速機構（不図示）を介してと連結されているものとしてもよい。このようにすると、刈芝搬出通路１２の下流側開口部１２２と、刈芝収容体６０の端面６２との距離を、作業者の操作が不要で調節することができる。
【００５７】
また、芝刈機１は、電動機（不図示）を備え、スライド装置７０は、操作部７４のピニオンギヤ７４２が、電動機によって駆動するものとしてもよい。このようにすると、刈芝搬出通路１２の下流側開口部１２２と、刈芝収容体６０の端面６２との距離を、作業者の操作が不要で、かつ独立して調節することができるので、例えば、芝刈機１の走行距離や駆動時間等を積算し、芝刈機１の走行距離や駆動時間等に応じて、刈芝搬出通路１２の下流側開口部１２２と、刈芝収容体６０の端面６２との距離を調節することができる。
【００５８】
以上、本発明の実施形態を説明したが、本発明は上記実施形態に限定されるものではなく、適宜、変形、改良、等が可能である。
【００５９】
例えば、芝刈機１は、エンジン４と後輪３との間に動力伝達装置を設け、後輪３がエンジン４によって駆動するものとしてもよい。
【００６０】
また、例えば、芝刈機１は、動力源にエンジン４を用いるものとしたが、動力源に電動機を用いるものとしてもよい。
【００６１】
また、例えば、芝刈機１は、作業者が操作ハンドル５を操作することによって移動するものとしたが、作業者の遠隔操作によって移動するものとしてもよいし、自律制御により自動で移動するものとしてもよい。
【００６２】
また、例えば、芝刈機１は、出力軸４０がエンジン４から略鉛直下方に延びており、カッタブレード５０が出力軸４０の下端に設けられているものとしたが、芝刈機１は、出力軸４０と歯車等を介して動力伝達可能に連結されている回転軸を有し、該回転軸にカッタブレード５０が設けられているものとしてもよい。さらに、該回転軸及び出力軸４０は、鉛直方向に限らず、鉛直方向から所定角度傾いていてもよい。
【００６３】
また、本明細書には少なくとも以下の事項が記載されている。なお、括弧内には、上記した実施形態において対応する構成要素等を示しているが、これに限定されるものではない。
【００６４】
（１）  動力源（エンジン４）と、
前記動力源の動力によって回転する回転軸（出力軸４０）と、
前記回転軸によって回転して芝草を刈るカッタブレード（カッタブレード５０）と、
前記カッタブレードを収容するハウジング（ハウジング１１）、及び前記カッタブレードによって刈られた刈芝を前記ハウジングから搬出する刈芝搬出通路（刈芝搬出通路１２）を有するボディ部（ボディ部１０）と、
前記ボディ部に取り外し可能に取り付けられ、前記刈芝を収容する刈芝収容体（刈芝収容体６０）と、を備え、
前記刈芝搬出通路は、前記ハウジングに接続する上流側開口部（上流側開口部１２１）と、前記刈芝を前記ボディ部の外部へ排出する下流側開口部（下流側開口部１２２）と、を有し、
前記刈芝収容体は、
前記刈芝搬出通路の前記下流側開口部を覆うように配置され、
前記ボディ部に向かって開口し、前記ボディ部と接続する開口部（開口部６１）と、前記開口部と対向する端面（端面６２）と、前記開口部から前記端面に延びる側面（側面６３）と、を有し、
前記刈芝搬出通路の前記下流側開口部から排出された前記刈芝を収容する、芝刈機（芝刈機１）であって、
前記刈芝搬出通路の前記下流側開口部と、前記刈芝収容体の前記端面との距離を調節可能なスライド装置（スライド装置７０）を有する、芝刈機。
【００６５】
（１）によれば、スライド装置によって、刈芝搬出通路の下流側開口部と、刈芝収容体の端面との距離を調節することができる。これにより、刈芝収容体に収容された刈芝の量が多くなるにしたがって、徐々に刈芝搬出通路の下流側開口部と刈芝収容体の端面との距離が長くなるように調節することによって、刈芝が刈芝収容体の開口部付近に偏在することを抑制できる。また、カッタブレードの回転速度を上げて風速を上げることなく、刈芝を刈芝収容体の端面付近に排出できるので、騒音を低減し、消費エネルギーを抑制できる。
【００６６】
（２）  （１）に記載の芝刈機であって、
前記スライド装置は、前記刈芝収容体の前記側面に設けられた、前記刈芝収容体を伸縮可能な伸縮部（伸縮部７１）を有し、
前記伸縮部を伸縮させて、前記刈芝搬出通路の前記下流側開口部と、前記刈芝収容体の前記端面との距離を調節する、芝刈機。
【００６７】
（２）によれば、スライド装置は、刈芝収容体の側面に設けられた、刈芝収容体を伸縮可能な伸縮部を有し、伸縮部を伸縮させて、刈芝搬出通路の下流側開口部と、刈芝収容体の端面との距離を調節することができるので、簡素な構造で、刈芝搬出通路の下流側開口部と、刈芝収容体の端面との距離を調節することができる。
【００６８】
（３）  （１）に記載の芝刈機であって、
前記スライド装置は、前記刈芝搬出通路に設けられた、前記下流側開口部が前記刈芝収容体の前記端面に向かって伸長する伸縮可能な延長部（延長部７３）を有し、
前記刈芝搬出通路の前記延長部を伸縮させて、前記刈芝搬出通路の前記下流側開口部と、前記刈芝収容体の前記端面との距離を調節する、芝刈機。
【００６９】
（３）によれば、スライド装置は、刈芝搬出通路に設けられた、下流側開口部が刈芝収容体の端面に向かって伸長する伸縮可能な延長部を有し、刈芝搬出通路の延長部を伸縮させて、刈芝搬出通路の下流側開口部と、刈芝収容体の端面との距離を調節することができるので、簡素な構造で、刈芝搬出通路の下流側開口部と、刈芝収容体の端面との距離を調節することができる。
【００７０】
（４）  （１）〜（３）のいずれかに記載の芝刈機であって、
前記スライド装置は、作業者の操作によって駆動する、芝刈機。
【００７１】
（４）によれば、作業者の操作によって、刈芝搬出通路の下流側開口部と、刈芝収容体の端面との距離を調節することができるので、刈芝収容体の開口部と端面との距離を作業者の好みに応じて調節することができる。
【００７２】
（５）  （１）〜（３）のいずれかに記載の芝刈機であって、
前記芝刈機は、車輪（後輪３）を備え、
前記スライド装置は、前記車輪の回転と連動して駆動する、芝刈機。
【００７３】
（５）によれば、スライド装置は、芝刈機の車輪の回転と連動して駆動するので、刈芝搬出通路の下流側開口部と、刈芝収容体の端面との距離を、作業者の操作が不要で調節することができる。
【００７４】
（６）  （１）〜（３）のいずれかに記載の芝刈機であって、
前記芝刈機は、電動機を備え、
前記スライド装置は、前記電動機によって駆動する、芝刈機。
【００７５】
（６）によれば、スライド装置は、電動機によって駆動するので、刈芝搬出通路１２の下流側開口部１２２と、刈芝収容体６０の端面６２との距離を、作業者の操作が不要で、かつ独立して調節することができる。したがって、例えば、芝刈機の走行距離や駆動時間等に応じて、刈芝搬出通路の下流側開口部と、刈芝収容体の端面との距離を調節することができる。
【符号の説明】
【００７６】
１  芝刈機
３  後輪（車輪）
４  エンジン（動力源）
１０  ボディ部
１１  ハウジング
１２  刈芝搬出通路
１２１  上流側開口部
１２２  下流側開口部
４０  出力軸（回転軸）
５０  カッタブレード
６０  刈芝収容体
６１  開口部
６２  端面
６３  側面
７０  スライド装置
７１  伸縮部
７３  延長部
【図１】
2020156445.tif 000003
【図２】
2020156445.tif 000004
【図３】
2020156445.tif 000005
【図４】
2020156445.tif 000006
【図５Ａ】
2020156445.tif 000007
【図５Ｂ】
2020156445.tif 000008
【図６】
2020156445.tif 000009
【図７Ａ】
2020156445.tif 000010
【図７Ｂ】
2020156445.tif 000011